(57)【要約】【課題】垂直母線支えに容易に取り付けられ、長さの異なる垂直母線にも容易に取り付けることができる垂直母線保護カバーを備えた垂直母線支持装置を得ること。【解決手段】複数の垂直母線４と複数の水平母線３と制御装置をユニット化した複数の機能ユニット５を筐体２内に備えた配電盤において、複数の垂直母線４を前面側と背面側とに挟み込むようにそれぞれ配置された２つの垂直母線支え１４、１５と、２つの垂直母線支え１４、１５のそれぞれの背面から、２つの垂直母線支え１４、１５を連結するように配設された垂直母線支持金具１６、１７と、から構成される垂直母線支持具９、垂直母線支持具９に取り付けられ、複数の垂直母線４のそれぞれの周囲を遮蔽する隔壁を備えた絶縁体の垂直母線保護カバー１０を備え、垂直母線支持具９は、複数の垂直母線４と接続される機能ユニット５の接触子７と干渉しない位置に、複数の垂直母線４の長手方向に間隔を保って複数配置され、垂直母線保護カバー１０は垂直母線支持具９のそれぞれの間に設けられた。
2019150426.tif 000002
【特許請求の範囲】
【請求項１】
複数の垂直母線と複数の水平母線と制御装置をユニット化した複数の機能ユニットを筐体内に備えた配電盤において、
前記複数の垂直母線を前面側と背面側とに挟み込むようにそれぞれ配置された２つの垂直母線支えと、
前記２つの垂直母線支えのそれぞれの背面から、前記２つの垂直母線支えを連結するように配設された垂直母線支持金具と、
から構成される垂直母線支持具、
前記垂直母線支持具に取り付けられ、前記複数の垂直母線のそれぞれの周囲を遮蔽する隔壁を備えた絶縁体の垂直母線保護カバーを備え、
前記垂直母線支持具は、前記複数の垂直母線と接続される前記機能ユニットの接触子と干渉しない位置に、前記複数の垂直母線の長手方向に間隔を保って複数配置され、
前記垂直母線保護カバーは前記垂直母線支持具のそれぞれの間に設けられたことを特徴とする垂直母線支持装置。
【請求項２】
前記垂直母線保護カバーは、
前記垂直母線保護カバーに設けた嵌挿部と、
前記２つの垂直母線支えのそれぞれに設けた嵌入部とを嵌着して前記２つの垂直母線支えのそれぞれに取り付けられたことを特徴とする請求項１に記載の垂直母線支持装置。
【請求項３】
前記複数の垂直母線の長手方向の前記垂直母線保護カバーは、
前記垂直母線支持具の間に収まる大きさであることを特徴とする請求項２に記載の垂直母線支持装置。
【請求項４】
前記嵌挿部の前記嵌入部と対向する面は円滑面であることを特徴とする請求項２または３に記載の垂直母線支持装置。
【請求項５】
前記嵌挿部の外形は円柱状であることを特徴とする請求項４に記載の垂直母線支持装置。
【請求項６】
前記垂直母線保護カバーは、前記水平母線を遮蔽して、前記隔壁を連結する仕切り部を備え、
前記仕切り部に前記垂直母線と前記水平母線とが接続される接続導体を挿入できる開口部を形成するための開口形成用スリットを設けたことを特徴とする請求項１から５のいずれか１項に記載の垂直母線支持装置。
【請求項７】
前記仕切り部に換気口を設けたことを特徴とする請求項６に記載の垂直母線支持装置。
【請求項８】
前記換気口は、前記仕切り部の上部及び下部の双方に設けたことを特徴とする請求項７に記載の垂直母線支持装置。
【発明の詳細な説明】
【技術分野】
【０００１】
本発明は、配電盤の筐体内に配設される垂直母線の支持装置に関する。
【背景技術】
【０００２】
受配電設備に使用される配電盤には、開閉装置を金属の筐体の中に収納したスイッチギアあるいはコントロールギアと呼ばれるものが含まれる。工場や上下水道、発電所などのプラントにおけるポンプや機械類などの稼動にはモータが多数使用されており、これらのモータ群の制御、保護、計測、監視を一箇所で集中管理するために制御装置をユニット化した機能ユニットを複数収納したコントロールセンタ（コントロールギアの一種）が、プラントにおいて広く用いられている。コントロールセンタにおける各機能ユニットへの給電は、コントロールセンタが備える複数の水平母線、および複数の垂直母線を介して行われる。水平母線は上位の電力供給源からの電力を供給し、水平母線に接続された垂直母線は各機能ユニットに電力を分岐する。各機能ユニットに設けられた接触子は、垂直母線と接続される。コントロールセンタ内の複数の垂直母線は、一般的に短絡の際の異相間の絶縁距離を確保するために、絶縁体からなる垂直母線支えを用いて一定間隔を保って筐体に固定されている。しかし、コントロールセンタ内に小動物が侵入し、小動物が異相間の垂直母線に同時に接触した場合には、短絡する恐れがある。【０００３】
上述のような短絡を回避するために、垂直母線間を遮蔽する隔壁を有した保護カバーを、上下方向に延在した垂直母線の全体に亘って前後から挟み込み、保護カバーの隔壁の先端に対向するように設けた結合部で、前後の２つの保護カバーを結合して固定するものが知られている（例えば、特許文献１参照）。
【先行技術文献】
【特許文献】
【０００４】
【特許文献１】実公平７−２１０４７号公報
【発明の概要】
【発明が解決しようとする課題】
【０００５】
上記特許文献１においては、垂直母線間を、垂直母線の全体に亘って保護カバーで遮蔽しているため、小動物の接触による短絡は抑制される。しかしながら、保護カバーの大きさが垂直母線の全体に亘る大きさであることから、設置される垂直母線の長さに応じて、必要な長さの保護カバーを都度作製する、もしくは追加加工により保護カバーの長さの調整が生じるという課題があった。また、保護カバーは垂直母線の全体に亘る大物部材であるため、挟み込む２つの保護カバーの隔壁に対向して設けた結合部を結合する際の作業性が悪く、かつ結合部に所望の寸法精度が出にくいという課題があった。
【課題を解決するための手段】
【０００６】
この発明に係る垂直母線支持装置は、複数の垂直母線と複数の水平母線と制御装置をユニット化した複数の機能ユニットを筐体内に備えた配電盤において、複数の垂直母線を前面側と背面側とに挟み込むようにそれぞれ配置された２つの垂直母線支えと、２つの垂直母線支えのそれぞれの背面から、２つの垂直母線支えを連結するように配設された垂直母線支持金具と、から構成される垂直母線支持具、垂直母線支持具に取り付けられ、複数の垂直母線のそれぞれの周囲を遮蔽する隔壁を備えた絶縁体の垂直母線保護カバーを備え、垂直母線支持具は、複数の垂直母線と接続される機能ユニットの接触子と干渉しない位置に、複数の垂直母線の長手方向に間隔を保って複数配置され、垂直母線保護カバーは垂直母線支持具のそれぞれの間に設けられたものである。
【発明の効果】
【０００７】
この発明に係る垂直母線支持装置によれば、垂直母線保護カバーは垂直母線支えに容易に取り付けられ、長さの異なる垂直母線にも容易に取り付けることができる。
【図面の簡単な説明】
【０００８】
【図１】本発明の実施の形態１に係るコントロールセンタの外観を示す斜視図である
【図２】本発明の実施の形態１に係るコントロールセンタの概略構成を示す断面図である
【図３】本発明の実施の形態１に係る垂直母線支持装置の概要を示す斜視図である。
【図４】本発明の実施の形態１に係る垂直母線支持装置の概略構成を示す分解斜視図である。
【図５】本発明の実施の形態１に係る垂直母線支持装置の概略構成を示す断面図である。
【図６】本発明の実施の形態１に係る背面垂直母線支えの概略構成を示す斜視図である。
【図７】本発明の実施の形態１に係る前面垂直母線支えの概略構成を示す斜視図である。
【図８】本発明の実施の形態１に係る垂直母線保護カバーと前面垂直母線支えの嵌着した部分の概略構成を示す斜視図である。
【図９】本発明の実施の形態１に係る垂直母線保護カバーと前面垂直母線支えの嵌着した部分の概略構成を示す断面図である。
【図１０】本発明の実施の形態１に係る垂直母線保護カバーの概略構成を示す斜視図である。
【図１１】本発明の実施の形態１に係る垂直母線と水平母線の接続概略を示す斜視図である。
【図１２】本発明の実施の形態１に係る垂直母線と水平母線の接続概略を示す断面図である。
【図１３】本発明の実施の形態２に係る垂直母線保護カバーの概略構成を示す斜視図である。
【図１４】本発明の実施の形態３に係る垂直母線保護カバーの概略構成を示す斜視図である。
【図１５】本発明の実施の形態３に係る別の垂直母線保護カバーの概略構成を示す斜視図である。
【発明を実施するための形態】
【０００９】
実施の形態１．
本発明の実施の形態１の構成概略について説明する。図１はコントロールセンタ１の外観を示す斜視図で、図２は図１の一点鎖線Ａ−Ａにおける断面図である。図３は機能ユニット５を除いたコントロールセンタ１の筐体２の内部の概要を示す斜視図である。なお、図３のＸＺ面において、垂直母線４の見えている前方を垂直母線支持装置１１の前面側とし、垂直母線４が水平母線３と接続されている後方を垂直母線支持装置１１の背面側とする。
【００１０】
コントロールセンタ１は、図１で示す筐体２の中に、図２で示す水平母線３、垂直母線４および機能ユニット５を備え、機能ユニット５への給電は水平母線３と垂直母線４を介して行われる。垂直母線４は、Ｚ方向に延在し、Ｘ方向に一定の間隔で一列に配置している。本実施の形態での垂直母線４は、４本の垂直母線４を有する三相４線式の配置である。それぞれの垂直母線４には、異なる位相の電流が流れる。垂直母線４の断面は、中央の平面部４ａと、その両側部を互いに反対方向に折り曲げた先端部４ｂとで構成され、その断面をＺ字状としている。短絡等から生じる電磁力に耐え得る強度をもたせるためである。垂直母線４へ電力を供給する水平母線３は、Ｘ方向に延在し、Ｚ方向に一定の間隔で一列に配置している。水平母線３と垂直母線４は接続導体６を介して接続され、垂直母線４と機能ユニット５は接触子７を介して接続されている。機能ユニット５は、プラントで使用される複数のモータの制御、保護、計測、監視を一箇所で集中管理するために制御装置をユニット化したものである。垂直母線支持装置１１は、垂直母線支持具９と垂直母線保護カバー１０で構成される。垂直母線支持具９で、垂直母線４は筐体２に設けた固定部８に固定される。垂直母線保護カバー１０は垂直母線支持具９に取り付けられ、垂直母線保護カバー１０が備える隔壁（垂直母線間遮蔽部２３、垂直母線側面遮蔽部２４）は、垂直母線４を遮蔽する。複数の水平母線支持具１２で構成される水平母線支持装置１３で、水平母線３は筐体２に設けた固定部８に固定される。水平母線支持具１２は、例えば、絶縁性材料である不飽和ポリエステル樹脂にて作製される。図３に示すように、水平母線３と垂直母線４は筐体２の内部に複数設けられ、垂直母線保護カバー１０は、複数の垂直母線支持具９のそれぞれの間に取り付けられる。
【００１１】
垂直母線支持装置１１の構成について説明する。図４は垂直母線保護カバー１０と垂直母線支持具９の概略構成を示す分解斜視図で、図５は図３の一点鎖線Ｂ−Ｂにおける断面図である。図４において、Ｚ方向に延在する複数の垂直母線４は、Ｚ方向に複数設けられた垂直母線支持具９にて保持される。垂直母線支持具９の間には、垂直母線４の周囲を遮蔽する垂直母線間遮蔽部２３、および垂直母線側面遮蔽部２４を備えた垂直母線保護カバー１０が設けられる。垂直母線支持具９を設ける間隔は、短絡時に垂直母線４の間に発生する電磁反発力に対して垂直母線支持具９にクラックなどの損傷が発生せず、かつ接触子７と干渉しない位置を考慮して決定される。垂直母線支持具９は、垂直母線４を前面側及び背面側から挟み込むように配置した前面垂直母線支え１４及び背面垂直母線支え１５と、これらの２つの垂直母線支えのそれぞれの背面に配置され、２つの垂直母線支えを前面側及び背面側から連結した前面垂直母線支持金具１６及び背面垂直母線支持金具１７から構成される。前面垂直母線支持金具１６と背面垂直母線支持金具１７はねじ１８を用いて連結され、垂直母線４は前面垂直母線支え１４及び背面垂直母線支え１５に密着して保持される。前面垂直母線支持金具１６と背面垂直母線支持金具１７は、例えば、金属板材である一般構造用圧延鋼材（ＳＳ４００など）、または熱間圧延軟鋼板（ＳＰＨＣなど）にて作製される。垂直母線保護カバー１０は、前面垂直母線支え１４と背面垂直母線支え１５の２つの垂直母線支えで固定されるが、詳細は後述する。
【００１２】
垂直母線保護カバー１０は、例えば、絶縁性材料である熱可塑性樹脂（ポリカーボネートなど）にて作製される樹脂成型品である。Ｚ方向の垂直母線保護カバー１０の大きさは、複数配設された垂直母線支持具９の間隔に応じて、垂直母線支持具９の間隔に収まるサイズである。垂直母線保護カバー１０は、垂直母線４の間を遮蔽する隔壁としての垂直母線間遮蔽部２３と、複数の垂直母線４の両側側面を遮蔽する隔壁としての垂直母線側面遮蔽部２４を備える。垂直母線間遮蔽部２３は、小動物などの侵入による垂直母線４間の短絡を防止する。垂直母線側面遮蔽部２４は、作業者などが誤って垂直母線４に接触するのを防止するとともに、小動物などに起因した筐体２のフレームなどの接地部材と垂直母線４との間の短絡を防止する。また、垂直母線保護カバー１０は、複数の垂直母線間遮蔽部２３と垂直母線側面遮蔽部２４との間を連結し、垂直母線４と水平母線３との間を遮蔽する背面仕切り部２５を備える。垂直母線間遮蔽部２３と垂直母線側面遮蔽部２４の上側及び下側には、前面垂直母線支え１４及び背面垂直母線支え１５のそれぞれに設けた嵌入部２１と嵌着する嵌挿部２６が設けられる。嵌挿部２６は、嵌入部２１と嵌着するように、前面方向と背面方向の双方に向けた形状で設けられ、ここでは円柱状で、その先端部は鋭角部のない滑らかな半円球状である。熱可塑性樹脂を用いて垂直母線保護カバー１０を作製した場合、円柱状の形状にすることにより、金型に樹脂を充填する際に均一に樹脂が充填されるため、成形不良（ヒケ、反りなど）の発生が低減され、成型時の歩留り悪化を抑制することができる。
【００１３】
前面垂直母線支え１４と背面垂直母線支え１５は、例えば、絶縁性材料である不飽和ポリエステル樹脂にて作製され、図６、７に示すように、双方が対向する面に、ねじ１８が貫通するねじ貫通部２２を備える。垂直母線４とねじ１８の沿面距離を確保するために、ねじ貫通部２２は筒状の形状で設けられる。ここでは前面垂直母線支え１４と背面垂直母線支え１５のそれぞれに分けてねじ貫通部２２を設ける構成としたが、何れか一方にまとめて設けても構わない。垂直母線保護カバー１０は、垂直母線４を前面垂直母線支え１４と背面垂直母線支え１５の２つの垂直母線支えで挟み込み保持する際に、嵌挿部２６を前面垂直母線支え１４と背面垂直母線支え１５のそれぞれが備える嵌入部２１と嵌着することで取り付けられ、固定される。なお、図６の拡大図で示すように、背面垂直母線支え１５の両端部に設置された嵌入部２１ａのみ、ここでは水平母線支持具１２との干渉を防ぐために半分にカットされた形状としている。また、前面垂直母線支え１４及び背面垂直母線支え１５は、垂直母線保護カバー１０が有す嵌挿部２６と嵌着する嵌入部２１を上面側及び下面側の双方に備える。嵌入部２１は、ＸＺ面から見て、奥行き方向にテーパーが形成された鋭角部のない滑らかな略円形の形状である（図８、９の拡大図参照）。図５に示すように、前面垂直母線支え１４及び背面垂直母線支え１５は、前面側及び背面側からそれぞれ垂直母線４の平面部４ａと接する垂直母線押さえ部１９、前面側及び背面側からそれぞれ垂直母線４の先端部４ｂを差し込む垂直母線差込部２０を備える。垂直母線支持具９を構成する前面垂直母線支持金具１６のＸ方向の両側部には、取付部１６ａが形成され、取付部１６ａは、ねじを利用して固定部８に固定される。
【００１４】
次に垂直母線保護カバー１０の固定について、図８で説明する。図８は垂直母線保護カバー１０と前面垂直母線支え１４の嵌着した部分の概略構成を示す斜視図で、図９は図８の一点鎖線Ｃ−Ｃにおける断面図である。嵌入部２１と嵌挿部２６は、嵌着した際に双方が対向する面に、バリなどの突起部分がなく、滑らかな面を備えるように作製される。そのため、嵌入部２１と嵌挿部２６の固定は容易であり、またコントロールセンタ１の輸送時や稼動時の振動などにより双方が擦れ合うことによって生じる塵埃を抑制することができる。さらに図９で示すように、嵌挿部２６の先端部を半円球状にし、嵌入部２１の受け側に面取り部２１ｂを設けることで、嵌挿部２６の先端を嵌入部２１に誘い込みやすくなり、容易に垂直母線支持具９を組み立てることができる。なお嵌入部２１と嵌挿部２６の間に空隙（例えば１ｍｍ程度）を設けていれば、垂直母線４に短絡電流等により電磁反発力が加わったとしても、嵌入部２１すなわち前面垂直母線支え１４及び背面垂直母線支え１５が電磁反発力を受け止めるため、垂直母線保護カバー１０が電磁反発力の影響を受けることはなく、垂直母線保護カバー１０の破損を防ぐことができる。
【００１５】
図１０に示すように、垂直母線保護カバー１０の背面仕切り部２５に、接続導体取り合い開口部２７が設けられる。図１１で示すように、接続導体６ａは、この接続導体取り合い開口部２７を貫通して、垂直母線４ｃと水平母線３を接続する。図１１では、接続の状態を明確に示すために、一部の垂直母線４について、輪郭のみを二点鎖線で表している。
【００１６】
図１２は図１１の一点鎖線Ｄ−Ｄにおける断面図である。図１２では、図１１のＺ方向上段のＸ方向左端に設けた垂直母線４ｃと水平母線３との接続を示している。接続導体６の大きさは、例えば、２５ｍｍ×６０ｍｍ×４５ｍｍ程度の直方体であり、ボルトを通す貫通孔を備えている。接続導体６の材料は、例えば、銅にて作製される。垂直母線４、接続導体６及び水平母線３は、ボルト２８とプレスナット２９にて接続される。接続導体６ａは左端に設けた垂直母線４ｃと水平母線３を接続するために設けられるが、図１１で示す他の垂直母線４ｄ又は４ｅと接続する接続導体６ｂ、６ｃの位置に応じて、接続導体取り合い開口部２７は別の位置に設けられる。
【００１７】
以上のように、この垂直母線支持装置１１では、隔壁を備えた垂直母線保護カバー１０は、垂直母線保護カバー１０に設けた嵌挿部２６を、前面垂直母線支え１４と背面垂直母線支え１５のそれぞれが備える嵌入部２１に差し込み、嵌着することができるため、ねじなどの他の部品を使用することなく、容易に２つの垂直母線支えに取り付けることができる。また、垂直母線支持装置１１の組立時の作業は簡略化され、作業時間を抑制することができる。また、垂直母線４の長手方向の垂直母線保護カバー１０の大きさは、複数配設された垂直母線支持具９の間隔に応じて、垂直母線支持具９の間隔に収まるサイズであるため、垂直母線４の長さに変更が生じた場合にも、柔軟に対応して取り付けることができる。垂直母線４の長手方向の全体に亘って垂直母線保護カバー１０を容易に取り付けることができるため、確実に垂直母線４の間を遮蔽することができる。また、嵌挿部２６の形状を円柱状にすることにより、垂直母線保護カバー１０を作製する際の成形性を向上させ、歩留りを向上させることができる。また、嵌挿部２６および嵌入部２１を鋭角部のない、滑らかな面にすることで、コントロールセンタ１の輸送時および稼動時の振動で発生が懸念される塵埃発生を抑制することができる。
【００１８】
なお、嵌挿部２６と嵌入部２１の形状は、本実施の形態１で開示した形状に限られるものではなく、双方を嵌着することで垂直母線保護カバー１０が垂直母線支持具９に取り付けられ、固定される形状であればよい。また、垂直母線保護カバー１０に嵌入部２１を設け、前面垂直母線支え１４と背面垂直母線支え１５のそれぞれに嵌挿部２６を設けても構わない。また、嵌着による取り付けに限るものではなく、接着など他の方法により取り付けても構わない。
【００１９】
なお、嵌挿部２６はすべて同一の形状としているが、設置する位置により異なる形状であっても構わない。例えば、垂直母線保護カバー１０の両端に設けた嵌挿部２６のみの長さを長くすると、両端の嵌挿部２６さえ注意して嵌入部２１に差し込めば、その他の嵌挿部２６はそれに誘導されるので、取付作業が容易になる。また、両端に設けた嵌挿部２６のみを大きくし、対向する嵌入部２１の全てが同じサイズであれば、両端にない嵌挿部２６は嵌入部２１とのクリアランスが大きく取れるため、両端の嵌挿部２６さえ注意して嵌入部２１に差し込めば、取付作業が容易になる。
【００２０】
なお、嵌挿部２６は垂直母線保護カバー１０の上側及び下側に設けられ、双方を利用して垂直母線保護カバー１０は固定されているがこれに限るものではなく、上側、もしくは下側のみで固定する構成であっても構わない。
【００２１】
本実施の形態における垂直母線保護カバー１０には、前面側に仕切りが設けられていない。一般的なコントロールセンタ１の場合、垂直母線支持装置１１の前面には各機能ユニット５と分離するためのカバー（図示せず）が設けられており、垂直母線支持装置１１の前面から小動物などが侵入できない構造となっているためである。なお、前面側に仕切りを設けた構成であっても構わない。
【００２２】
実施の形態２．
本発明の実施の形態２における垂直母線保護カバー１００の斜視図を、図１３に示す。実施の形態１では、接続導体６の位置に応じて、接続導体６が貫通する接続導体取り合い開口部２７を異なる位置に設けた複数の垂直母線保護カバー１０を用いていた。実施の形態２においては、接続導体取り合い開口部２７を垂直母線保護カバー１００の製作時に設けることなく、開口形成用スリット３０を設けることで、１種類の垂直母線保護カバー１００で対応可能としたものである。なお、他の構成については、実施の形態１の記載と同様であるため、同一の符号を付して、説明を省略する。
【００２３】
開口形成用スリット３０は、図１３に示すように、背面仕切り部２５の接続導体取り合い開口部が形成される位置の外周に沿って、ミシン目状に設けられる。本実施の形態でも、垂直母線４は４本設けられるため、４つの開口形成用スリット３０が背面仕切り部２５に設けられる。ミシン目状の開口形成用スリット３０は、背面仕切り部２５の一部を容易に切り取ることが可能となるように設けられ、一部を切り取ることで、切り取られた箇所が接続導体取り合い開口部となる。垂直母線支持具９とともに垂直母線保護カバー１００を垂直母線４に取り付ける際に、接続導体６の位置に応じて、接続導体取り合い開口部を容易に設けることができる。これにより、１種類の垂直母線保護カバー１００を異なる位置の接続導体６に対して取り付けることができる。
【００２４】
以上のように、背面仕切り部２５に設けたミシン目状の開口形成用スリット３０を使って背面仕切り部２５の一部を切り取ることで、所望の位置に容易に接続導体取り合い開口部を形成することできるため、接続導体６を設けた位置に関わらず、１種類の垂直母線保護カバー１００で対応することができる。また、接続導体取り合い開口部の位置が異なる複数種類の垂直母線保護カバーの中から所望の垂直母線保護カバーを探す時間を省略することができ、垂直母線支持装置１１の組立時間の短縮化を図ることができる。また、垂直母線保護カバーの種類を削減できるため、管理が容易になる。また、垂直母線保護カバーの製造において、異なる位置に接続導体取り合い開口部を有する金型を作製する必要がなくなるため、金型作製費を削減することができる。
【００２５】
実施の形態３．
本発明の実施の形態３における垂直母線保護カバー１１０の斜視図を、図１４に示す。実施の形態２では、背面仕切り部２５には開口形成用スリット３０のみを設けていたが、実施の形態３においては、背面仕切り部２５に、さらに換気口３１を設けたものである。なお、他の構成については、実施の形態１の記載と同様であるため、同一の符号を付して、説明を省略する。
【００２６】
換気口３１は、図１４に示すように、背面仕切り部２５が備える開口形成用スリット３０の上部に設けられた開口部である。ここでは、１つの開口形成用スリット３０の上部に、１０個の換気口３１を設けたが、換気口３１を設ける位置、大きさ、個数はこれに限るものではない。換気口３１は、垂直母線保護カバー１０で囲まれた垂直母線４の周囲の空気を換気するための開口部である。コントロールセンタ１の垂直母線４には、１０００Ａ程度の電流が流れることで、垂直母線４自体が発熱する。換気口３１を設けることにより、垂直母線保護カバー１１０の内側に熱がこもるのを抑制し、垂直母線４自体の温度上昇を抑制することができる。また、熱により機能が低下する部材（例えば、垂直母線支えに用いた不飽和ポリエステル樹脂は、一般的に温度上昇に伴い、樹脂の引張り強さは低下する）の機能の低下を抑制することができる。
【００２７】
以上のように、背面仕切り部２５に換気口３１を設けたことで、垂直母線保護カバーの内側の熱のこもりは抑制され、垂直母線の温度上昇、垂直母線の周辺の部材の機能低下を抑制することができる。
【００２８】
なお、本実施の形態においては、換気口３１は背面仕切り部２５の上部にのみ設けたが、図１５に示すように、さらに背面仕切り部２５の下部にも設けてもよい。下部にも換気口３１ａを設けることで、換気効率が高まり、垂直母線の温度上昇、垂直母線の周辺の部材の機能低下をさらに抑制することができる。
【００２９】
以上の実施の形態１〜３に示した構成は、本発明の構成の一例であり、本発明の要旨を逸脱しない範囲で、実施の形態の組み合わせや一部を省略する等、変更して構成することも可能であることは言うまでもない。また、実施の形態１〜３では、コントロールギアの一種であるコントロールセンタに設ける垂直母線支持装置について示したが、他のスイッチギアや配電盤に設けるものであっても構わない。
【符号の説明】
【００３０】
１  コントロールセンタ、２  筐体、３  水平母線、４  垂直母線、５  機能ユニット、６  接続導体、７  接触子、８  固定部、９  垂直母線支持具、１０  垂直母線保護カバー、１１  垂直母線支持装置、１２  水平母線支持具、１３  水平母線支持装置、１４  前面垂直母線支え、１５  背面垂直母線支え、１６  前面垂直母線支持金具、１７  背面垂直母線支持金具、１８  ねじ、１９  垂直母線押さえ部、２０  垂直母線差込部、２１  嵌入部、２２  ねじ貫通部、２３  垂直母線間遮蔽部、２４  垂直母線側面遮蔽部、２５  背面仕切り部、２６  嵌挿部、２７  接続導体取り合い開口部、２８  ボルト、２９  プレスナット、３０  開口形成用スリット、３１  換気口、１００  垂直母線保護カバー、１１０  垂直母線保護カバー
【図１】
2019150426.tif 000003
【図２】
2019150426.tif 000004
【図３】
2019150426.tif 000005
【図４】
2019150426.tif 000006
【図５】
2019150426.tif 000007
【図６】
2019150426.tif 000008
【図７】
2019150426.tif 000009
【図８】
2019150426.tif 000010
【図９】
2019150426.tif 000011
【図１０】
2019150426.tif 000012
【図１１】
2019150426.tif 000013
【図１２】
2019150426.tif 000014
【図１３】
2019150426.tif 000015
【図１４】
2019150426.tif 000016
【図１５】
2019150426.tif 000017
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
複数の垂直母線と複数の水平母線と制御装置をユニット化した複数の機能ユニットを筐体内に備えた配電盤において、
前記複数の垂直母線を前面側と背面側とに挟み込むようにそれぞれ配置された２つの垂直母線支えと、
前記２つの垂直母線支えのそれぞれの背面から、前記２つの垂直母線支えを連結するように配設された垂直母線支持金具と、
から構成される垂直母線支持具、
前記垂直母線支持具に取り付けられ、前記複数の垂直母線のそれぞれの周囲を遮蔽する隔壁を備えた絶縁体の垂直母線保護カバーを備え、
前記垂直母線支持具は、前記複数の垂直母線と接続される前記機能ユニットの接触子と干渉しない位置に、前記複数の垂直母線の長手方向に間隔を保って複数配置され、
前記垂直母線保護カバーは、前記垂直母線支持具のそれぞれの間に設けられ、
前記垂直母線保護カバーに設けた嵌挿部と、前面側の前記垂直母線支えと背面側の前記垂直母線支えのそれぞれに設けた嵌入部と、を嵌着して、取り付けられたことを特徴とする垂直母線支持装置。
【請求項２】
前記複数の垂直母線の長手方向の前記垂直母線保護カバーは、
前記垂直母線支持具の間に収まる大きさであることを特徴とする請求項１に記載の垂直母線支持装置。
【請求項３】
前記嵌挿部の前記嵌入部と対向する面は円滑面であることを特徴とする請求項１または２に記載の垂直母線支持装置。
【請求項４】
前記嵌挿部の外形は円柱状であることを特徴とする請求項３に記載の垂直母線支持装置。
【請求項５】
前記垂直母線保護カバーは、前記水平母線を遮蔽して、前記隔壁を連結する仕切り部を備え、
前記仕切り部に前記垂直母線と前記水平母線とが接続される接続導体を挿入できる開口部を形成するための開口形成用スリットを設けたことを特徴とする請求項１から４のいずれか１項に記載の垂直母線支持装置。
【請求項６】
前記仕切り部に換気口を設けたことを特徴とする請求項５に記載の垂直母線支持装置。
【請求項７】
前記換気口は、前記仕切り部の上部及び下部の双方に設けたことを特徴とする請求項６に記載の垂直母線支持装置。
【手続補正２】
【補正対象書類名】明細書
【補正対象項目名】０００６
【補正方法】変更
【補正の内容】
【０００６】
この発明に係る垂直母線支持装置は、複数の垂直母線と複数の水平母線と制御装置をユニット化した複数の機能ユニットを筐体内に備えた配電盤において、複数の垂直母線を前面側と背面側とに挟み込むようにそれぞれ配置された２つの垂直母線支えと、２つの垂直母線支えのそれぞれの背面から、２つの垂直母線支えを連結するように配設された垂直母線支持金具と、から構成される垂直母線支持具、垂直母線支持具に取り付けられ、複数の垂直母線のそれぞれの周囲を遮蔽する隔壁を備えた絶縁体の垂直母線保護カバーを備え、垂直母線支持具は、複数の垂直母線と接続される機能ユニットの接触子と干渉しない位置に、複数の垂直母線の長手方向に間隔を保って複数配置され、垂直母線保護カバーは、垂直母線支持具のそれぞれの間に設けられ、垂直母線保護カバーに設けた嵌挿部と、前面側の垂直母線支えと背面側の垂直母線支えのそれぞれに設けた嵌入部と、を嵌着して、取り付けられたものである。
【国際調査報告】
2019150426.tif 000018
2019150426.tif 000019
2019150426.tif 000020
2019150426.tif 000021